(57)【要約】      （修正有）【課題】中身を均一に排出することのできる化粧品容器を提供すること。【解決手段】内部に中身を収容する貯留容器２００と、前記貯留容器の上側に結合され、前記貯留容器に収容された中身を上側へと移動させるポンプ部３００と、前記ポンプ部の上側に結合され、前記ポンプ部から伝達される中身を上側に排出するための排出孔４１０が形成される加圧板４００と、前記加圧板の上側に配置されて、前記排出孔を介して排出される中身を外側に分配する分配板５００とを備え、前記分配板には、少なくとも一つの切込片が前記分配板の中心領域に向かって切り込まれて形成される。前記分配板の周縁に沿って離れて配置され、前記切込片の周りの離隔空間を介して前記中身が分配される分配路を形成してもよい。【選択図】図２
2020168349.tif 000002
【特許請求の範囲】
【請求項１】
化粧品容器であって、
内部に中身を収容する貯留容器と、
前記貯留容器の上側に結合され、前記貯留容器に収容された中身を上側へと移動させるポンプ部と、
前記ポンプ部の上側に結合され、前記ポンプ部から伝達される中身を上側に排出するための排出孔が形成される加圧板と、
前記加圧板の上側に配置されて、前記排出孔を介して排出される中身を外側に分配する分配板と、を備え、
前記分配板には、少なくとも一つの切込片が前記分配板の中心領域に向かって切り込まれて形成されるが、前記分配板の周縁に沿って離れて配置され、前記切込片の周りの離隔空間を介して前記中身が分配される分配路を形成し、
前記分配板は、前記分配板の中心領域が前記加圧板及び前記排出孔から上側へと離れるように少なくとも一部が上側に凸となる形状に形成され、前記分配板の中心領域は、使用者の加圧に応じて下側方向に移動して前記加圧板の上面に接触される
ことを特徴とする化粧品容器。
【請求項２】
前記分配路が放射状を呈するように、前記切込片のそれぞれは、前記分配板の周縁から中心領域に向かって進むにつれて次第に幅が狭くなる
請求項１に記載の化粧品容器。
【請求項３】
前記切込片は、一方の端が前記分配板の周縁につながるが、他方の端は前記分配板の中心領域と分離される
請求項１に記載の化粧品容器。
【請求項４】
前記分配板に使用者の加圧が加えられない場合、前記切込片の他方の端は、前記分配板の周辺領域よりも下側に位置する
請求項３に記載の化粧品容器。
【請求項５】
前記分配路を形成する前記離隔空間の幅は、前記分配板の中心領域から周縁に向かって進むにつれて次第に小さくなる
請求項４に記載の化粧品容器。
【請求項６】
前記分配板の周縁を加圧して前記分配板を前記加圧板に固定する固定キャップをさらに備える
請求項１に記載の化粧品容器。
【請求項７】
前記固定キャップの上端の周縁を包み込むように前記貯留容器の上部に結合されて、前記分配板への使用者の加圧に際して、前記固定キャップの揺らぎを防止するスナップオンキャップをさらに備える
請求項６に記載の化粧品容器。
【請求項８】
前記固定キャップの外周面に沿って少なくとも一つの係止突起が外側に突設され、前記スナップオンキャップの上部の内周面から内側へと制限鍔が突設されて、
前記制限鍔により前記係止突起の上側への移動が制限されることにより、前記固定キャップの揺らぎが防止される
請求項７に記載の化粧品容器。
【発明の詳細な説明】
【技術分野】
【０００１】
本発明は、化粧品容器に係り、さらに詳しくは、中身を均一に排出することのできる化粧品容器に関する。
【背景技術】
【０００２】
一般に広く用いられているファウンデーション（ｆｏｕｎｄａｔｉｏｎ）などの固形の化粧品やサンブロック（ｓｕｎ  ｂｌｏｃｋ）などの液体化粧品は、肌を保護するとともに華やかにし、シワを改善するなどの効果のために用いられる。このとき、使用者は、パフ（ｐｕｆｆ）に化粧品を付けた後に肌に塗るといった方式を採用することができる。
【０００３】
この場合、使用者は、パフを自ら化粧品に接触させなければならないため、使用者がパフを用いて化粧品を加圧する圧力に応じて必要以上の化粧品がパフに付いてパフが無駄使いになる虞があるという問題がある。したがって、最近には、スポンジなどに化粧品を含浸させ、使用者がパフでスポンジを押圧すれば、スポンジに染み込まれていた液体化粧品が排出されることにより、パフに供給されるようにする方式が開発されている。
【０００４】
しかし、この種の従来の化粧品容器は、既存の問題点と同様に、使用者がスポンジを押圧する圧力に応じてパフに必要以上の化粧品が付いてしまう虞があり、且つ、使用者がミスで過度な圧力でスポンジを加圧してしまうと、パフにおいて肌に直接的に触れる面だけではなく、使用者の指の隣の面まで化粧品が付いてしまって使用者に大きな不便さを来たすという問題があり、化粧品が繰り返されてパフに直接的に接触されることにより、汚染などの問題が生じるという問題も存在していた。
【０００５】
このような諸問題を解決するために、最近には、使用者の加圧によりポンプが加圧されて容器本体内に充填された化粧品が排出されるコンパクト容器が登場した。このような化粧品容器は、一般に、中心部に複数の吐出孔が形成される化粧皿に使用者がパフを密着し、且つ、加圧すれば、ポンプにより化粧品が吐出孔に排出されてパフの表面に塗布されるように構成される。
【０００６】
しかしながら、このような化粧品容器もまた、化粧品が吐出孔の形成される一部の領域にしか集中されないため、パフの全体の表面に万遍なく化粧品を塗布することが困難であるという問題が依然として存在していた。
したがって、このような諸問題を解決することのできる化粧品容器が求められる。
【発明の概要】
【発明が解決しようとする課題】
【０００７】
本発明は、前記諸問題を解決するためのものであり、複数の切込片が形成される分配板を用いて、中身を均一に排出することのできる化粧品容器を提供することをその目的とする。
【０００８】
本発明の技術的課題は、上述した技術的課題に何ら制限されるものではなく、未言及の他の技術的課題は、次の記載から当業者にとって明らかに理解できる。
【課題を解決するための手段】
【０００９】
本発明の一実施形態により、化粧品容器が提供される。前記化粧品容器は、内部に中身を収容する貯留容器と、前記貯留容器の上側に結合され、前記貯留容器に収容された中身を上側へと移動させるポンプ部と、前記ポンプ部の上側に結合され、前記ポンプ部から伝達される中身を上側に排出するための排出孔が形成される加圧板と、前記加圧板の上側に配置されて、前記排出孔を介して排出される中身を外側に分配する分配板と、を備え、前記分配板には、少なくとも一つの切込片が前記分配板の中心領域に向かって切り込まれて形成されるが、前記分配板の周縁に沿って離れて配置され、前記切込片の周りの離隔空間を介して前記中身が分配される分配路を形成してもよい。
【００１０】
好ましくは、前記分配板は、前記分配板の中心領域が前記加圧板及び前記排出孔から上側へと離れるように少なくとも一部が上側に凸となる形状に形成され、前記分配板の中心領域は、使用者の加圧に応じて下側方向に移動して前記加圧板の上面に接触されてもよい。
【００１１】
また、好ましくは、前記分配路が放射状を呈するように、前記切込片のそれぞれは、前記分配板の周縁から中心領域に向かって進むにつれて次第に幅が狭くなってもよい。
【００１２】
さらに、好ましくは、前記切込片は、一方の端が前記分配板の周縁につながるが、他方の端は前記分配板の中心領域と分離されてもよい。
【００１３】
さらにまた、好ましくは、前記分配板に使用者の加圧が加えられない場合、前記切込片の他方の端は、前記分配板の周辺領域よりも下側に位置してもよい。
【００１４】
さらにまた、好ましくは、前記分配路を形成する前記離隔空間の幅は、前記分配板の中心領域から周縁に向かって進むにつれて次第に小さくなってもよい。
【００１５】
さらにまた、好ましくは、前記分配板の周縁を加圧して前記分配板を前記加圧板に固定する固定キャップをさらに備えていてもよい。
【００１６】
さらにまた、好ましくは、前記固定キャップの上端の周縁を包み込むように前記貯留容器の上部に結合されて、前記分配板への使用者の加圧に際して、前記固定キャップの揺らぎを防止するスナップオンキャップをさらに備えていてもよい。
【００１７】
さらにまた、好ましくは、前記固定キャップの外周面に沿って少なくとも一つの係止突起が外側に突設され、前記スナップオンキャップの上部の内周面から内側へと制限鍔が突設されて、前記制限鍔により前記係止突起の上側への移動が制限されることにより、前記固定キャップの揺らぎが防止されてもよい。
【発明の効果】
【００１８】
本発明によれば、分配板を介して中身を有効に外側に分配するように実現することにより、使用者は、化粧道具で分配板を加圧する動作だけでも化粧道具の表面の全体に中身を万遍なく塗布することができる。
【００１９】
また、本発明によれば、分配板の中心領域を加圧板から上側へと離れるように凸状に形成し、使用者の加圧及び加圧の解除により弾性変形されるように構成することにより、使用者にまるでクッションを押すかのような使用感を与えることができる。
【００２０】
さらに、本発明によれば、分配板の構造が単純化することにより、工程コストを下げることができ、誤差の発生確率が減って不良品が生じる確率を下げることができる。
【００２１】
さらにまた、本発明によれば、スナップオンキャップを容器に結合して、中身の排出作業に際して、分配板及び固定キャップが揺れることを有効に防止することができる。
【図面の簡単な説明】
【００２２】
【図１】本発明の一実施形態に係る化粧品容器の斜視図
【図２】本発明の一実施形態に係る化粧品容器の分解斜視図
【図３】本発明の一実施形態に係る化粧品容器の断面図
【図４】本発明の一実施形態に係る化粧品容器の分配板を示す説明図
【図５】本発明の一実施形態に係る化粧品容器のスナップオンキャップを示す説明図
【図６ａ】本発明の一実施形態に係る化粧品容器の例示的な動作を示す説明図
【図６ｂ】本発明の一実施形態に係る化粧品容器の例示的な動作を示す説明図
【発明を実施するための形態】
【００２３】
以下、添付図面に基づき、本発明に係る実施形態について説明する。各図面の構成要素に参照符号を付するに当たって、同じ構成要素に対しては、たとえ異なる図面の上に示されているとしても、できる限り同じ符号を有するようにしている。また、本発明の実施形態について説明するに当たって、関連する公知の構成又は機能についての具体的な説明が本発明の実施形態への理解を妨げると認められる場合には、その詳細な説明は省略する。さらに、以下において、本発明の実施形態について説明するが、本発明の技術的思想はこれに何等限定又は制限されるものではなく、当業者によって変形されて種々に実施され得る。一方、以下に記載される便宜上の上下左右の方向は、図面を基準としたものであり、当該方向に本発明の権利範囲が必ずしも限定されることはない。
【００２４】
明細書の全般に亘って、ある部分が他の部分と「接続」されているとしたとき、これは、「直接的に接続」されている場合だけではなく、これらの間に他の素子を挟んで「間接的に接続」されている場合も含む。明細書の全般に亘って、ある部分がある構成要素を「備える」としたとき、これは、特に断りのない限り、他の構成要素を除外するものではなく、他の構成要素をさらに備えていてもよいということを意味する。なお、本発明の実施形態の構成要素について説明するに当たって、第１、第２、Ａ、Ｂ、ａ、ｂなどの用語を使用することができる。これらの用語は、その構成要素を他の構成要素と区別するためのものに過ぎず、これらの用語によって当該構成要素の本質や順序又は順番などが限定されることはない。
【００２５】
図１は、本発明の一実施形態に係る化粧品容器の斜視図であり、図２は、本発明の一実施形態に係る化粧品容器の分解斜視図であり、図３は、本発明の一実施形態に係る化粧品容器の断面図であり、図４は、本発明の一実施形態に係る化粧品容器の分配板を示す図であり、図５は、本発明の一実施形態に係る化粧品容器のスナップオンキャップを示す図である。
【００２６】
図１から図５を参照すると、化粧品容器は、容器本体１００、貯留容器２００、ポンプ部３００、加圧板４００、分配部５００、スナップオンキャップ６００及び外キャップ７００を備えていてもよい。
【００２７】
容器本体１００は、上部が開放され、内側に貯留容器２００を収容するための第１の収容部１１０が形成されてもよい。例えば、第１の収容部１１０は、貯留容器２００の外形（特に、下容器２１０の外形）に対応する形状に形成されてもよい。また、第１の収容部１１０の内側面には、貯留容器２００との結合のために、貯留容器２００の外周面に形成される結合突起２２４に対応する結合溝１２０がへこんで形成されてもよい。但し、このような結合方式は、例示的なものに過ぎず、本発明は、これに限定されるものではなく、本発明が適用される実施形態に応じて、種々の結合方式が適用可能である。
【００２８】
容器本体１００の一方の側には、外キャップ７００を開閉するためのボタン部１３０が形成されてもよい。例えば、ボタン部１３０の上部に締付突起（図面符号を図示せず）が形成され、外キャップ７００の内面の一方の側に締付溝が形成されて、これらの結合により外キャップ７００が容器本体１００を密閉するが、使用者がボタン部１３０を加圧すれば、締付突起が取り外されて容器本体１００を開放するように構成されてもよい。
【００２９】
一実施形態において、容器本体１００の下面には開放部（図面符号を図示せず）がさらに形成されてもよい。例えば、容器本体１００の下面のうちの少なくとも一部が第１の収容部１１０の内側まで貫通して開放部が形成され、このような開放部を介して第１の収容部１１０に収容された貯留容器２００の下面のうちの少なくとも一部が容器本体１００の外側に露出されるように構成されてもよい。これにより、使用者は、外側に露出された貯留容器２００の領域を上側に加圧する方式で手軽に貯留容器２００を容器本体１００から取り外すことが可能になる。
【００３０】
貯留容器２００は、容器本体１００の第１の収容部１１０に着脱自在に結合され、内部に中身を収容することができる。ここで、中身は、化粧のための流体（すなわち、化粧料）であってもよい。例えば、中身は、液状タイプのファウンデーションなどの色調のための化粧料またはゲル（ｇｅｌ）タイプのサンクリームなどのスキンケアのための化粧料を含んでいてもよいが、これに制限されず、あらゆる流体状態の化粧用の物質を含んでいてもよい。
このような貯留容器２００は、下容器２１０と上容器２２０を備えていてもよい。
【００３１】
下容器２１０は、内側に中身を収容するための第２の収容部２１１が形成されてもよい。下容器２１０の上端の外周面には、上容器２２０との結合のための結合突起またはねじ山が形成されてもよい。
【００３２】
上容器２２０は、下容器２１０の上側に結合されて中身が収容された第２の収容部２１１を密閉してもよい。上容器２２０の中心には、ポンプ部３００を結合するための結合孔２２１が穿設されてもよい。例えば、結合孔２２１の内周面とポンプ部３００の外周面には、互いに対応する結合突起または段差（図面符号を図示せず）が形成され、これらを介して、ポンプ部３００の下部が結合孔２２１に嵌合するように構成されてもよい。
【００３３】
上容器２２０の上部には、結合孔２２１の周辺に凹溝２２２が形成されてもよい。このような凹溝２２２は、使用者の加圧に応じて、加圧板４００及び分配部５００を下向きに移動させるための空間として機能することができる。また、上容器２２０の上部には、周りに沿って、上側に第１の結合鍔２２３が突設されてもよい。このような第１の結合鍔２２３を介して、スナップオンキャップ６００が貯留容器２００の上側に着脱自在に結合可能になる。
【００３４】
ポンプ部３００は、貯留容器２００の上部に結合され、内部圧力の変化を通じて、貯留容器２００に収容された中身を吸い込んで加圧板４００の排出孔４１０に移動させることができる。このようなポンプ部３００の圧力の変化は、分配部５００及び加圧板４００に加えられる使用者の加圧によるものであってもよい。ポンプ部３００は、例えば、シリンダー、ピストン、シール部、ステム、シャフト、弾性部材、ポンプハウジングなどを備えるように構成されてもよいが、本発明はこれに限定されるものではなく、当該分野に知られている種々の構成が適用可能である。
【００３５】
加圧板４００は、ポンプ部３００の上側に結合され、使用者の加圧に伴う外力をポンプ部３００に伝達することができる。すなわち、例えば、使用者が分配部５００をパフなどの化粧道具を介して加圧すれば、これに伴う外力が加圧板４００を介してポンプ部３００に伝達されることにより、ポンプ部３００がポンピング動作を行うことが可能になる。加圧板４００の一領域には、ポンプ部３００と連通する排出孔４１０が形成されてもよい。排出孔４１０は、例えば、加圧板４００の中心に穿設されてもよく、ポンプ部３００から伝達される中身を上側方向（すなわち、分配板５１０を向く方向）に排出することができる。
【００３６】
加圧板４００の上部には、周りに沿って、上側に第２の結合鍔４２０が突設されてもよい。このような第２の結合鍔４２０は、分配板５１０を固定する固定キャップ５２０を結合し、排出孔４１０を介して排出される中身が加圧板４００の外側に漏れ出ることを防止する役割を果たすことができる。
分配部５００は、中身を万遍なく分配（または、拡散）させるための構成要素であり、分配板５１０及び固定キャップ５２０を備えていてもよい。
【００３７】
分配板５１０は、加圧板４００の上側に配置されて、排出孔４１０を介して排出される中身を外側方向（すなわち、周縁方向）に分配することができる。このために、分配板５１０には、中心領域５１１と、これを包み込むように配置される少なくとも一つの切込片５１２と、が形成されてもよい。
【００３８】
中心領域５１１は、排出孔４１０と位置合わせされ、加圧板４００及び排出孔４１０から上側へと離れるように配置されてもよい。このために、分配板５１０は、少なくとも一部が上側に凸となるように折れ曲がった形状を呈するように構成されてもよい。使用者が中心領域５１１を加圧すれば、分配板５１０の弾性変形により、中心領域５１１は下側方向に移動して加圧板４００の上面に接触可能である。これを通じて、分配板５１０の中心領域は、排出孔４１０から排出される中身を外側（すなわち、周縁方向）に押し出す役割を行うことができる。一方、使用者が加圧を解除すれば、分配板５１０の中心領域５１１は、弾性復元力により元の凸状に戻ることができる。このように、分配板５１０の中心領域５１１を加圧板４００から上側へと離れるように凸状に形成し、中身の排出のための使用者の加圧及び加圧の解除に応じて上下に弾性変形するように構成することにより、使用者にまるでクッションを押すかのような使用感を与えることが可能になる。
【００３９】
切込片５１２は、分配板５１０の周縁から中心領域５１１に向かって切り込まれて形成されるが、周縁に沿って離れて配置されて分配板５１０の中心領域５１１を包み込むように構成されてもよい。このような切込片５１２により、分配板５１０には、中身を外側方向に分配するための分配路５１３が形成されてもよい。すなわち、それぞれの切込片５１２の周りに形成される離隔空間が中身を分配するための分配路５１３として機能することができる。
【００４０】
一実施形態において、それぞれの切込片５１２は、分配板５１０の周縁から中心領域５１２へと進むにつれて次第に幅が狭くなるように構成されてもよい。これにより、切込片５１２により、分配板５１０に形成される分配路５１３は、放射状を呈することができる。
【００４１】
また、一実施形態において、切込片５１２は、一方の端が分配板５１０の周縁に一体につながるが、他方の端は、分配板５１０の中心領域５１１と分離されてもよい。これにより、分配板５１０の中心領域５１１と切込片５１２は、互いに独立して弾性変形されるか、あるいは、上側または下側に可動となるように実現可能である。すなわち、例えば、分配板５１０の中心領域５１１を加圧し、または、分配板５１０の中心領域５１１の加圧を解除しても、切込片５１２は、中心領域５１１と一体に弾性変形されるか、あるいは、下側または上側に移動しない。
【００４２】
さらに、一実施形態において、分配板５１０の中心領域５１１と分離された切込片５１２の他方の端は、使用者の加圧が加えられない場合、分配板５１０の周辺領域（特に、中心領域５１１）よりも下側に位置してもよい。例えば、切込片５１２の傾斜角度を他の領域とは異なるように形成することにより、切込片５１２の他方の端が周辺領域よりも下側に位置するように構成されてもよい。これにより、切込片５１２の周りに形成される離隔空間（すなわち、分配路５１３）は、中心領域５１１側の一方の端において幅が最も大きく、分配板５１０の周縁に向かって進むにつれて次第に小さくなるように構成可能である。
【００４３】
固定キャップ５２０は、分配板５１０を加圧して加圧板４００の上面に固定することができる。すなわち、固定キャップ５２０は、分配板５１０が加圧板４００の上側に配置された状態で、分配板５１０の周縁を加圧するように加圧板４００と結合されてもよく、これを通じて、分配板５１０の周縁が加圧板４００の上面に密着して固定されることが可能になる。このために、固定キャップ５２０の下部には、加圧板４００の第２の結合鍔４２０と締結される第３の結合鍔５２１が下側に突設されてもよい。例えば、第２の結合鍔４２０が第３の結合鍔５２１の内側に嵌合する方式で、固定キャップ５２０は、加圧板４００と結合されてもよい。このような結合のために、第２の結合鍔４２０の外周面および／または第３の結合鍔５２１の内周面には、互いに対応する結合突起および／または結合溝が形成されてもよい。
【００４４】
固定キャップ５２０は、分配板５１０により分配された中身が分配板５１０の外側に流れることを防止するように上部に環状の制限爪（図面符号を図示せず）が突設されてもよい。一実施形態において、制限爪の内周面は、分配板５１０に向かって下向きに傾斜した傾斜面または曲面の形状に形成されてもよい。
【００４５】
固定キャップ５２０の外周面には、固定キャップ５２０の揺らぎを防止するための少なくとも一つの係止突起５２２が形成されてもよい。一実施形態において、このような係止突起５２２は、図示のごとく、固定キャップ５２０の外周面に沿って形成される環状の周縁により実現されてもよい。
【００４６】
一方、加圧板４００、分配板５１０、固定キャップ５２０が物理的に分離された別々の構成であることを想定して示しているが、実施形態に応じて、加圧板４００、分配板５１０、固定キャップ５２０は、一部または全部が一体に形成されてもよい。
【００４７】
分配部５００は、分配板５１０の上側にメッシュ網５３０がさらに配設されてもよい。このようなメッシュ網５３０は、多数の微細孔が穿孔された可撓性の網であってもよく、単一または多重の網から構成されてもよい。メッシュ網５３０は、ポリエチレン（ｐｏｌｙｅｔｈｙｌｅｎｅ；ＰＥ）材料から製造されてもよく、あるいは、これを含んでいてもよいが、本発明はこれに何ら限定されるものではなく、他の材料から製造されてもよく、あるいは、様々な材料を含んでいてもよい。メッシュ網５３０は、分配板５１０の上部に配置されて、排出された中身が分配板５１０から飛び上がることを防止することができ、分配板５１０をパフなどの化粧道具で加圧して中身を取るとき、適量の中身が化粧道具に塗布できるようにする。
【００４８】
スナップオンキャップ６００は、固定キャップ５２０の上端の周縁を包み込むように貯留容器２００の上部に結合されてもよい。例えば、貯留容器２００の第１の結合鍔２２３の外周面とスナップオンキャップ６００の内周面には、対応する結合突起および／または結合溝が形成されて、これを通じて、スナップオンキャップ６００が第１の結合鍔２２３に着脱自在に嵌合するように構成されてもよい。
【００４９】
スナップオンキャップ６００は、分配部５００の揺らぎを防止する役割を果たすことができる。このために、スナップオンキャップ６００の上部には、制限鍔６１０が内周面から内側へと向かって突設されてもよい。固定キャップ５２０の外周面に形成された係止突起５２２がこのような制限鍔６１０の下側に位置することにより、上側への移動が制限され、これを通じて、分配板５１０への使用者の加圧に際して、固定キャップ５２０を備える分配部５００が非対称的に揺れることが防止可能になる。
【００５０】
スナップオンキャップ６００の下部には、載置部６２０が形成されてもよい。例えば、載置部６２０は、スナップオンキャップ６００の下部の外周面から外側へと向かって突設され、スナップオンキャップ６００と貯留容器２００との結合に際して、載置部６２０の下面が貯留容器２００の上面に密着するように構成されてもよい。一実施形態において、載置部６２０の下面には、容器本体１００のボタン部１３０の上部を収容するための収容溝６２１が形成されてもよい。なお、このような収容溝６１０の一領域が貫通することにより、ボタン部１３０の締付突起が上側に露出されるように構成されてもよい。
【００５１】
外キャップ７００は、容器本体１００を密閉する役割を果たすことができる。外キャップ７００は、一方の側に形成されたヒンジなどの連結部を介して容器本体１００と連結されてもよい。連結部は、外キャップ７００が開放位置に置かれるとき、容器本体１００から取り外されることを防止するように構成されてもよい。一実施形態において、外キャップ７００は、連結部なしに容器本体１００と直接的に結合されてもよい。例えば、外キャップ７００及び容器本体１００は、内側にねじ山が形成されていて、相互の回転により結合されるように構成されてもよい。
【００５２】
化粧品容器は、パフなどの化粧道具を収納可能な収納部材をさらに備えていてもよい。一実施形態において、このような収納部材は、分配板５１０および／またはメッシュ網５３０の上側に配置されてもよい。また、一実施形態において、収納部材は、化粧道具を分配板５１０および／またはメッシュ網５３０と接触されないように分離するように形成されてもよい。なお、一実施形態において、収納部材は、化粧品容器の一部に連結されてヒンジ式で可動となるように形成されてもよい。
【００５３】
一方、これまで言及されてきた構成要素間の結合方式は、単なる例示的なものに過ぎず、本発明が適用される実施形態に応じて種々の構成要素が適用可能である。例えば、突起と溝との嵌合に際して、突起と溝の形成位置や形状などが変更されてもよく、且つ、嵌合ではなく、螺合などが適用されてもよい。
図６ａ及び図６ｂは、本発明の一実施形態に係る化粧品容器の例示的な動作を示すものである。
【００５４】
図６ａを参照すると、分配部５００を加圧する前に、分配板５１０は、上側に凸となる形状を保ち、特に、分配板５１０の中心領域５１１が加圧板４００と排出孔４１０から離れるように配置されてもよい。このとき、分配板５１０に形成される切込片５１２が分配板５１０の周辺領域よりも下側に位置することにより、切込片５１２の周りに十分な離隔空間（すなわち、分配路５１３）が形成可能である。
【００５５】
次いで、図６ｂを参照すると、使用者が分配板５１０及びメッシュ網５３０を加圧することにより、ポンプ部３００が動作して中身が分配板５１０に向かって上側へと排出されることが可能である。すなわち、例えば、使用者がパフなどの化粧道具を密着させて分配板５１０及びメッシュ網５３０を加圧すれば、分配部５００と加圧板４００が一体に下降し、これに伴い、ポンプ部３００の内部が縮まることにより、中身が加圧板４００の排出孔４１０を介して分配板５１０の中心領域５１１に向かって排出可能になる。
【００５６】
このとき、分配板５１０の中心領域５１１は、加圧板４００の上面に接触するまで下降するが、このような中心領域５１１が排出孔４１０から排出される中身を周りに配置される切込片５１２側に押し出すことができる。これにより、中身は、切込片５１２の周りに形成される分配路５１３を通過して外側（周縁方向）に万遍なく分配される。一方、分配板５１０を介して万遍なく分配された中身は、メッシュ網５３０を通過して化粧道具の全体の表面に亘って塗布可能である。
【００５７】
次いで、使用者が加圧を解除すれば、加圧板４００及び分配部５００は、元の位置に戻り、分配板５１０の中心領域５１１が弾性力により上昇して加圧板４００及び排出孔４１０から離れた形で元の状態に戻ることができる。
【００５８】
このように、使用者は、分配板５１０への加圧及び加圧の解除を繰り返し行って所要量の中身を排出して用いることができ、特に、このような排出の過程において分配板５１０の弾性変形によりまるでクッションを押圧するかのような使用感を与えられる。
【００５９】
以上のように、図面及び明細書に最適な実施形態が開示された。ここで、特定の用語が使用されたが、これは単に本発明を説明するための目的で使用されたものに過ぎず、意味を限定したり、特許請求の範囲に記載の本発明の範囲を制限したりするために使用されたものではない。よって、本技術分野において通常の知識を有する者であれば、これから種々の変形及び均等な他の実施形態が可能である。よって、本発明の真の技術的な保護範囲は、添付の特許請求の範囲の技術的な思想によって定められる。
【符号の説明】
【００６０】
１００  容器本体
１１０  第１の収容部
１２０  結合溝
１３０  ボタン部
２００  貯留容器
２１０  下容器
２１１  第２の収容部
２２０  上容器
２２１  結合孔
２２２  凹溝
２２３  第１の結合鍔
２２４  結合突起
３００  ポンプ部
４００  加圧板
４１０  排出孔
４２０  第２の結合鍔
５００  分配部
５１０  分配板
５１１  中心領域
５１２  切込片
５１３  分配路
５２０  固定キャップ
５２１  第３の結合鍔
５２２  係止突起
５３０  メッシュ網
６００  スナップオンキャップ
６１０  制限鍔
６２０  載置部
６２１  収容溝
７００  外キャップ
【図１】
2020168349.tif 000003
【図２】
2020168349.tif 000004
【図３】
2020168349.tif 000005
【図４】
2020168349.tif 000006
【図５】
2020168349.tif 000007
【図６ａ】
2020168349.tif 000008
【図６ｂ】
2020168349.tif 000009
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
化粧品容器であって、
内部に中身を収容する貯留容器と、
前記貯留容器の上側に結合され、前記貯留容器に収容された中身を上側へと移動させるポンプ部と、
前記ポンプ部の上側に結合され、前記ポンプ部から伝達される中身を上側に排出するための排出孔が形成される加圧板と、
前記加圧板の上側に配置されて、前記排出孔を介して排出される中身を外側に分配する分配板と、を備え、
前記分配板には、少なくとも一つの切込片が前記分配板の中心領域に向かって切り込まれて形成され、前記分配板の周縁に沿って離れて配置され、前記切込片の周りに形成される空間で前記中身が分配される分配路を形成し、
前記分配板は、前記分配板の中心領域が前記加圧板及び前記排出孔から上側へと離れるように少なくとも一部が上側に凸となる形状に形成され、前記分配板の中心領域は、使用者の加圧に応じて下側方向に移動して前記加圧板の上面に接触される
ことを特徴とする化粧品容器。
【請求項２】
前記分配路が放射状を呈するように、前記切込片のそれぞれは、前記分配板の周縁から中心領域に向かって進むにつれて次第に幅が狭くなる
請求項１に記載の化粧品容器。
【請求項３】
前記切込片は、一方の端が前記分配板の周縁につながるが、他方の端は前記分配板の中心領域と分離される
請求項１に記載の化粧品容器。
【請求項４】
前記分配板に使用者の加圧が加えられない場合、前記切込片の他方の端は、前記分配板の周辺領域よりも下側に位置する
請求項３に記載の化粧品容器。
【請求項５】
前記分配路の幅は、前記分配板の中心領域から周縁に向かって進むにつれて次第に小さくなる
請求項４に記載の化粧品容器。
【請求項６】
前記分配板の周縁を加圧して前記分配板を前記加圧板に固定する固定キャップをさらに備える
請求項１に記載の化粧品容器。
【請求項７】
前記固定キャップの上端の周縁を包み込むように前記貯留容器の上部に結合されて、前記分配板への使用者の加圧に際して、前記固定キャップの揺らぎを防止するスナップオンキャップをさらに備える
請求項６に記載の化粧品容器。
【請求項８】
前記固定キャップの外周面に沿って少なくとも一つの係止突起が外側に突設され、前記スナップオンキャップの上部の内周面から内側へと制限鍔が突設されて、
前記制限鍔により前記係止突起の上側への移動が制限されることにより、前記固定キャップの揺らぎが防止される
請求項７に記載の化粧品容器。